(57)【要約】【課題】庫内が高負荷状態で冷蔵温度帯室及び冷凍温度帯室の双方を冷却する場合でも、消費電力を増大させずに冷却性能を維持できる冷蔵庫を提供する。【解決手段】この冷蔵庫８に備えられる制御装置３５は、庫内に設けられる冷蔵温度帯室、冷凍温度帯室が備える温度センサ（略図）からの温度検出信号に基づいて冷却器４が配置される冷却器室３４から各温度帯室に冷気を送風する庫内ファン５の送風量を制御する他、庫内が高負荷状態で各温度帯室双方を同時冷却する際、冷蔵室ダンパ６を全開状態とすると共に、冷凍温度帯室の温度が予め設定される冷凍温度帯室高温判定閾値より低ければ冷凍室ダンパ１３の開度を小、冷凍温度帯室の温度が冷凍温度帯室高温判定閾値以上であればダンパ１３の開度を大、冷凍温度帯室が一旦高温と判定された後に予め設定される冷凍温度帯室高温判定解除閾値以下となればダンパ１３の開度を小とする制御を行う。【選択図】図２
2015036600.tif 000002
【特許請求の範囲】
【請求項１】
冷蔵庫本体に設けられて温度センサが具備される冷蔵温度帯室及び冷凍温度帯室と、冷凍システムに含まれる冷却器が配置される冷却器室と、前記冷却器室から前記冷蔵温度帯室及び前記冷凍温度帯室に冷気を送風する送風機と、前記冷蔵温度帯室に供給する冷気量を制御する冷蔵室ダンパと、前記冷凍温度帯室に供給する冷気量を制御する冷凍室ダンパと、前記温度センサからの温度検出信号に基づいて前記送風機による前記冷気の送風供給量を制御すると共に、前記冷蔵室ダンパ及び前記冷凍室ダンパの開度を制御する制御装置と、を備えた冷蔵庫であって、
前記制御装置は、前記冷蔵温度帯室及び前記冷凍温度帯室の双方を前記冷却器で同時に冷却する場合に、前記冷蔵室ダンパを全開状態にすると共に、前記温度検出信号に示される当該冷凍温度帯室の温度が予め設定される冷凍温度帯室高温判定閾値より低いときには、前記冷凍室ダンパにおける開度を小とし、当該冷凍温度帯室の温度が当該冷凍温度帯室高温判定閾値以上のときには、当該冷凍室ダンパにおける開度を大とし、当該冷凍温度帯室が一旦高温と判定された後、予め設定される冷凍温度帯室高温判定解除閾値以下となったときには、当該冷凍室ダンパにおける開度を小とする制御を行うことを特徴とする冷蔵庫。
【請求項２】
請求項１記載の冷蔵庫において、前記制御装置は、前記冷蔵室ダンパを全開状態とすると共に、前記冷凍室ダンパを全開状態の開度未満の第１の開度とする冷蔵温度帯室冷却優先モードと、前記冷蔵室ダンパを全開状態とすると共に、前記冷凍室ダンパを全開状態の開度未満で前記第１の開度よりも開度が大きい第２の開度とする冷凍温度帯室冷却優先モードと、を設定可能であり、前記温度検出信号に示される前記冷凍温度帯室の温度が前記冷凍温度帯室高温判定閾値より低い場合には前記冷蔵温度帯室冷却優先モードを設定し、当該冷凍温度帯室の温度が当該冷凍温度帯室高温判定閾値以上の場合には前記冷凍温度帯室冷却優先モードを設定し、前記冷凍温度帯室高温判定解除閾値以下となった場合には前記冷蔵温度帯室冷却優先モードを設定することを特徴とする冷蔵庫。
【発明の詳細な説明】
【技術分野】
【０００１】
本発明は、冷却器として働く冷凍システム（冷凍サイクル）の蒸発器からの冷気で冷蔵温度帯室と冷凍温度帯室とを冷却すると共に、庫内の冷気の流れを制御するためのダンパを備えた蒸気圧縮式の冷蔵庫に関する。
【背景技術】
【０００２】
従来、この種の冷蔵庫として、特許３１０７７１５号公報（特許文献１）がある。この特許文献１では、冷却器からの冷気を冷蔵室用ダクト、冷凍室用ダクトをそれぞれ介して冷蔵室内、冷凍室内に供給してこれらを冷却するとき、冷凍室内の温度が冷凍下限設定温度以下になるまでは、冷凍温度帯室に供給する冷気量を制御する冷凍室用ダンパを開放させると共に、冷蔵温度帯室に供給する冷気量を制御する冷蔵室用ダンパをその開度が全開状態よりも小になるように制御し、冷凍下限設定温度以下になったときには、冷凍室用ダンパを閉塞させると共に、冷蔵室用ダンパをそれまでよりも開度が大になるように制御することにより、冷蔵室内のみが冷却器からの冷気により冷却される場合において、冷蔵室内に対する冷気供給量を大にすることができ、冷蔵室内を迅速に冷蔵設定温度まで冷却することができる機能を持たせている。
【先行技術文献】
【特許文献】
【０００３】
【特許文献１】特許３１０７７１５号公報
【発明の概要】
【発明が解決しようとする課題】
【０００４】
しかしながら、特許文献１記載の技術は、冷凍下限設定温度以下になるまでは冷凍室用ダンパを開放させると共に、冷蔵室用ダンパの開度を小とするため、冷蔵状態又は冷凍状態にない多量の被貯蔵物（例えば常温食品）の投入、或いは頻繁な扉開閉を含む長時間の扉開放により庫内が高負荷状態となっている冷蔵温度帯室及び冷凍温度帯室の双方を冷却する場合については配慮が十分なされていない。こうした場合には冷凍温度帯室が冷凍下限設定温度以下になるまでに長い時間を要する一方、冷蔵温度帯室への冷気供給量は不足状態が続くことになり、冷凍温度帯室が冷凍下限設定温度以下になったときには、冷蔵室の温度はかなり上昇してしまい、冷蔵庫の冷却性能を維持することが困難になってしまうので冷却機能上で好ましくない。
【０００５】
本発明は、このような問題点を解消するためになされたもので、庫内が高負荷状態で冷蔵温度帯室及び冷凍温度帯室の双方を冷却する場合でも、消費電力を増大させずに冷却性能を維持できる冷蔵庫を提供することにある。
【課題を解決するための手段】
【０００６】
上記技術的課題を解決するため、本願発明は、冷蔵庫本体に設けられて温度センサが具備される冷蔵温度帯室及び冷凍温度帯室と、冷凍システムに含まれる冷却器が配置される冷却器室と、冷却器室から冷蔵温度帯室及び冷凍温度帯室に冷気を送風する送風機と、冷蔵温度帯室に供給する冷気量を制御する冷蔵室ダンパと、冷凍温度帯室に供給する冷気量を制御する冷凍室ダンパと、温度センサからの温度検出信号に基づいて送風機による冷気の送風供給量を制御すると共に、冷蔵室ダンパ及び冷凍室ダンパの開度を制御する制御装置と、を備えた冷蔵庫であって、制御装置は、冷蔵温度帯室及び冷凍温度帯室の双方を冷却器で同時に冷却する場合に、冷蔵室ダンパ６を全開状態にすると共に、温度検出信号に示される当該冷凍温度帯室の温度が予め設定される冷凍温度帯室高温判定閾値より低いときには、冷凍室ダンパにおける開度を小とし、当該冷凍温度帯室の温度が当該冷凍温度帯室高温判定閾値以上のときには、当該冷凍室ダンパにおける開度を大とし、当該冷凍温度帯室が一旦高温と判定された後、予め設定される冷凍温度帯室高温判定解除閾値以下となったときには、当該冷凍室ダンパにおける開度を小とする制御を行うことを特徴とする。
【発明の効果】
【０００７】
本発明によれば、庫内が高負荷状態で冷蔵温度帯室及び冷凍温度帯室の双方を冷却する場合でも、消費電力を増大させずに冷却性能を維持できる冷蔵庫を提供することができる。
【図面の簡単な説明】
【０００８】
【図１】本発明の実施例１に係る冷蔵庫を正面方向から示した外観図である。
【図２】図１に示す冷蔵庫の庫内構造を示した側面方向での断面図である。
【図３】図１に示す冷蔵庫に備えられる冷却器を含む周辺構成を正面方向から一部断面にして露呈させて示した概略図である。
【図４】図３で説明した冷却器を含む周辺構成を側面方向から一部破断して示した概略図である。
【図５】図１に示す冷蔵庫に備えられる制御装置による庫内温度状態に応じた冷蔵室ダンパ及び冷凍室ダンパの開閉動作を低負荷が投入される冷凍システムの冷却運転パターンの一例に合わせて示したタイミングチャートである。
【図６】図１に示す冷蔵庫に備えられる制御装置による庫内温度状態に応じた冷蔵室ダンパ及び冷凍室ダンパの開閉動作を高負荷が投入される冷凍システムの冷却運転パターンの他例に合わせて示したタイミングチャートである。
【発明を実施するための形態】
【０００９】
以下に、本発明の冷蔵庫について、実施例を挙げ、図面を参照して詳細に説明する。
【実施例１】
【００１０】
図１は、本発明の実施例１に係る冷蔵庫８を正面方向から示した外観図である。また、図２は、この冷蔵庫８の庫内構造を示した側面方向での断面図である。各図を参照すれば、実施例１に係る冷蔵庫８は、断熱材により庫内を区分けして設けられた複数の貯蔵室として、上方から冷蔵室９、製氷室３０、上段冷凍室１０（隣に製氷室３０）、下段冷凍室１１、及び野菜室１２を有する構成となっている。このうち、冷蔵室９及び野菜室１２は、冷却設定温度帯により総称して冷蔵温度帯室と呼ばれても良く、また、製氷室３０、上段冷凍室１０、及び下段冷凍室１１は、冷却設定温度帯により総称して冷凍温度帯室と呼ばれても良く、更に、これらの各温度帯室内にはそれぞれ室内温度を検出するための図示されない温度センサが少なくとも１台設けられる。
【００１１】
各部について、冷蔵室９は前方側に左右に分割された観音開きの冷蔵室扉９ａ、９ｂを備え、製氷室３０、上段冷凍室１０、下段冷凍室１１、野菜室１２は、それぞれ引き出し式の製氷室扉１０ａ、上段冷凍室扉１０ｂ、下段冷凍室扉１１ａ、野菜室扉１２ａを備えている。尚、以下では冷蔵室扉９ａ、９ｂと製氷室扉１０ａ、上段冷凍室扉１０ｂ、下段冷凍室扉１１ａ、及び野菜室扉１２ａとを単に扉として略称する。
【００１２】
また、冷蔵庫８は、各扉９ａ、９ｂ、１０ａ、１０ｂ、１１ａ、１２ａの開閉状態をそれぞれ検知する図示しない扉センサと、扉開放状態と判定された状態が所定時間として例えば１分以上継続された場合に利用者に報知する図示しないアラームと、を備える他、冷蔵室９や野菜室１２の温度設定や冷凍温度帯室の温度設定を行う図示しない温度設定器等を備えており、これらは温度センサと共に冷蔵庫８の天井後方箇所に配置された制御装置３５に接続されている。
【００１３】
図２を参照すれば、冷蔵庫８の庫外と庫内とは、発泡ポリウレタン等の発泡断熱材を充填して形成される断熱箱体３１により隔てられ、庫内では断熱仕切壁３２により冷蔵室９と上段冷凍室１０及び製氷室３０（図１のみに図示される）とが隔てられて区分され、断熱仕切壁３３により下段冷凍室１１と野菜室１２とが隔てられて区分されている。また、庫内を冷却するために、密閉形の圧縮機（コンプレッサ）１における吐出側に図示されない凝縮器（コンデンサ）を配備すると共に、吸入側に蒸発器（エバポレータ）による冷却器４を配備し、凝縮器及び冷却器４の間に図示されない減圧機構の膨張弁（絞り）を介在させて冷媒ガスを封入した上で各部を配管で接続して構成される冷凍システムが冷蔵庫８に組み込まれている。冷却器４は下段冷凍室１１の略背部に備えられた冷却器室３４内に設けられており、冷却器４の上方に設けられた庫内ファン５により、戻り空気を冷却器４で熱交換して冷却された空気を各室へ送風する。
【００１４】
庫内ファン５は、冷却器室３４から冷蔵温度帯室及び冷凍温度帯室に冷気を送風する送風機であり、冷蔵温度帯室に供給する冷気量を制御するための冷蔵室ダンパ６が冷蔵室冷気風路７の入口付近に設けられ、冷凍温度帯室に供給する冷気量を制御するための冷凍室ダンパ１３が冷凍温度帯室と冷却器室３４とを区分する仕切壁２３の下部の冷却器室３４と冷凍室冷気風路１５とを連通させる箇所に設けられている。ところで、上述した制御装置３５は、温度センサからの温度検出信号に基づいて庫内ファン５による冷気の送風供給量を制御すると共に、冷蔵室ダンパ６及び冷凍室ダンパ１３の開度を制御する。因みに、制御装置３５は、ＣＰＵ、ＲＯＭやＲＡＭ等を含む各種メモリ、及びインターフェース回路等を制御基板に搭載して構成される場合を例示できる。
【００１５】
冷蔵室９及び野菜室１２に冷気を供給する冷蔵温度帯室冷却運転（以下、Ｒ運転とも呼ぶ）の場合、冷蔵室ダンパ６を全開状態にすると共に、冷凍室ダンパ１３を全閉状態にすることで冷気を供給する。このとき、冷気は最初に冷蔵室冷気風路７を通って多段で設けられた吐出口２２から冷蔵室９に流入して冷蔵室９を冷却し、冷蔵室９を冷却した後の空気は、一部がダクト２４（後文で説明する図３中に示される）を経由して冷却器室３４に戻されるが、他部が冷却器室３４の側方に備えられた図示しない冷蔵室９−野菜室１２間の室間連通ダクトを通って野菜室１２に流入して野菜室１２を冷却する。野菜室１２を冷却した冷気は、断熱仕切壁３３の下部前方に設けられた野菜室戻り風路１７を通って冷却器４の幅とほぼ等しい幅寸法の野菜室冷気戻り口２１から冷却器室３４に戻される。
【００１６】
また、製氷室３０、上段冷凍室１０、及び下段冷凍室１１に冷気を供給する冷凍温度帯室冷却運転（以下、Ｆ運転とも呼ぶ）の場合、冷凍室ダンパ１３を全開状態にすると共に、冷蔵室ダンパ６を全閉状態にすることで冷凍室冷気風路１５を経由して冷気を供給する。冷凍温度帯室に供給された冷気は、冷凍室冷気戻り口１４から冷却器室３４に戻される。一般に、周囲温度に対して低温の冷気は、上方から下方に向かう下降流を形成するため、冷気を室の上方から多く供給すれば、室内を良好に冷却することができる。ここでは、冷凍室ダンパ１３を庫内ファン５よりも上方に設置することで庫内ファン５からの送風をスムーズにし、下段冷凍室１１の上段に位置する製氷室３０や上段冷凍室１０に送風できるように配慮している。
【００１７】
更に、庫内の全てを冷却する冷蔵温度帯室＋冷凍温度帯室の冷却運転（以下、ＲＦ運転とも呼ぶ）は、庫内の設定温度に対して制御装置３５が庫内に設けた温度センサからの温度検出信号に示される検出温度値と比較することにより、冷蔵室ダンパ６及び冷凍室ダンパ１３を全開状態にした上で庫内ファン５による冷気の送風供給量の制御、冷却器４による冷却量の制御をそれぞれ自動的な設定状態で決定して冷却運転が行われる。因みに、冷却器４の下部には庫内受け皿２５が設けられ、その上部には除霜ヒータ１８が設けられており、庫内受け皿２５はドレンパイプ２０を介して除霜時に発生したドレン水を外部の庫外受け皿１９へ排出することができる。庫外受け皿１９に溜まったドレン水は圧縮機１の排熱等により蒸発されるようになっている。
【００１８】
図３は、冷蔵庫８に備えられる冷却器４を含む周辺構成を正面方向から一部断面にして露呈させて示した概略図である。また、図４は、図３で説明した冷却器４を含む周辺構成を側面方向から一部破断して示した概略図である。各図を参照すれば、冷却器４の下部には、冷却器４の横幅とほぼ同じ長さの除霜ヒータ１８が設けられ、冷却器４の上部には、冷却器４の冷却温度を検出する除霜センサ２６が、例えば冷却器４のパイプに接触するように取り付けられている。この除霜センサ２６も冷蔵庫８の天井の制御装置３５に対して信号線２７で接続され、検出された冷却温度検出信号を制御装置３５へ送出する。冷蔵室９を冷却した冷気は、ダクト２４を介して冷蔵室冷気戻り口１６から冷却器４に戻される。また、上段冷凍室１０、下段冷凍室１１、及び製氷室３０に供給された冷気は、冷凍室冷気戻り口１４から冷却器４に戻されるが、冷凍室冷気戻り口１４は冷却器４の幅方向とほぼ同じ開口長さとなっている。冷凍温度帯室を冷却するＦ運転の場合には、冷凍温度帯室を冷却した後の冷気が冷凍室冷気戻り口１４から、冷蔵温度帯室を冷却するＲ運転の場合には、冷蔵温度帯室を冷却した後の冷気が冷蔵室冷気戻り口１６からそれぞれ冷却器室３４（冷却器４）に戻される。また、庫内全室を冷却するＲＦ運転の場合には、冷凍室冷気戻り口１４及び冷蔵室冷気戻り口１６から同時に冷却器室３４（冷却器４）に冷気が戻される。因みに、冷却器４の熱交換に際して、上述したようにその下部に配備された除霜ヒータ１８による除霜時に発生したドレン水が庫内受け皿２５で受け止められ、ドレンパイプ２０を介して庫外受け皿１９へ排出される構造になっている。
【００１９】
ところで、実施例１に係る冷蔵庫８が備える制御装置３５は、庫内が高負荷状態となっている冷蔵温度帯室及び冷凍温度帯室の双方を冷却器４で同時に冷却する場合に、冷蔵室ダンパ６を全開状態にすると共に、温度センサからの温度検出信号に示される冷凍温度帯室の温度が予め設定される冷凍温度帯室高温判定閾値より低いときには、冷凍室ダンパ１３における開度を小とし、冷凍温度帯室の温度が冷凍温度帯室高温判定閾値以上のときには、冷凍室ダンパ１３における開度を大とし、冷凍温度帯室が一旦高温と判定された後、予め設定される冷凍温度帯室高温判定解除閾値以下となったときには、冷凍室ダンパ１３における開度を小とする制御を行う。
【００２０】
具体的に云えば、制御装置３５は、冷蔵室ダンパ６を全開状態とすると共に、冷凍室ダンパ１３を全開状態の開度未満の第１の開度とする冷蔵温度帯室冷却優先モードと、冷蔵室ダンパ６を全開状態とすると共に、冷凍室ダンパ１３を全開状態の開度未満で第１の開度よりも開度が大きい第２の開度とする冷凍温度帯室冷却優先モードと、を設定可能であり、温度センサからの温度検出信号に示される冷凍温度帯室の温度が冷凍温度帯室高温判定閾値より低い場合には冷蔵温度帯室冷却優先モードを設定し、冷凍温度帯室の温度が冷凍温度帯室高温判定閾値以上の場合には冷凍温度帯室冷却優先モードを設定し、冷凍温度帯室高温判定解除閾値以下となった場合には冷蔵温度帯室冷却優先モードを設定するものである。
【００２１】
図５は、制御装置３５による庫内温度状態に応じた冷蔵室ダンパ６及び冷凍室ダンパ１３の開閉動作を低負荷が投入される冷凍システムの冷却運転パターンの一例に合わせて示したタイミングチャートである。図５中の冷却運転パターンは、庫内が高負荷状態にない通常運転に該当するもので、冷蔵温度帯室温度（冷蔵室温度として略記）、及び冷凍温度帯室（冷凍室温度として略記）に対する冷蔵室ダンパ６、及び冷凍室ダンパ１３の開閉状態を時系列的に示している。
【００２２】
具体的に云えば、図５に示される通常の冷却運転パターンでは、最初に冷蔵温度帯室の室内温度が冷蔵室ダンパ６の全閉作動値になるまで冷蔵温度帯室を冷却するＲ運転を実施し、冷蔵温度帯室を冷却した後には冷凍温度帯室の室内温度が冷凍室ダンパ１３の全閉作動値になるまで冷凍温度帯室を冷却するＦ運転を実施し、これらのＲ運転とＦ運転とを交互に繰り返すことによって冷却運転を行う。
【００２３】
その後、例えばＲ運転中に冷蔵温度帯室に常温食品等の熱的な負荷（ここでは低負荷を想定している）が投入された場合、熱が侵入することによって冷蔵温度帯室の室内温度の低下が緩やかになる。このため、冷蔵温度帯室を冷却し終わる前に、冷凍温度帯室の室内温度が冷凍室ダンパ１３の全開作動値に到達して冷凍室ダンパ１３が全開状態となり、冷蔵温度帯室及び冷凍温度帯室の双方（全室）を同時に冷却するＲＦ運転に移行する。このＲＦ運転は負荷投入等、冷蔵庫８の庫内温度が一時的に上昇したときの運転であり、冷蔵温度帯室及び冷凍温度帯室の双方（全室）を冷却した後は、再びＲ運転とＦ運転とを交互に繰り返す冷却運転に戻る。
【００２４】
図６は、制御装置３５による庫内温度状態に応じた冷蔵室ダンパ６及び冷凍室ダンパ１３の開閉動作を高負荷が投入される冷凍システムの冷却運転パターンの他例に合わせて示したタイミングチャートである。図６中の冷却運転パターンは、庫内が高負荷状態になった場合の制御モード切り替え運転を含むもので、ここでも冷蔵温度帯室温度（冷蔵室温度として略記）、及び冷凍温度帯室（冷凍室温度として略記）に対する冷蔵室ダンパ６、及び冷凍室ダンパ１３の開閉状態を時系列的に示している。
【００２５】
具体的に云えば、図６に示される冷却運転パターンでは、Ｒ運転とＦ運転とを交互に繰り返す冷却運転中に、例えばＲ運転中に冷蔵温度帯室及び冷凍温度帯室に冷蔵状態及び冷凍状態にない商品等が多量に投入されて高負荷状態になった場合に、冷蔵温度帯室及び冷凍温度帯室の双方を冷却するときの冷却運転を例示している。ここでは、冷蔵温度帯室及び冷凍温度帯室の双方が高負荷状態となると、冷蔵温度帯室及び冷凍温度帯室の室内温度が上昇し、それぞれ冷蔵室ダンパ６の全開作動値及び冷凍室ダンパ１３の全開作動値に到達するため、一般的にはＲＦ運転へと移行する。但し、高負荷状態では庫内への熱侵入が通常の場合よりも過大であるため、ＲＦ運転中であっても冷却を十分に行うことができず、庫内の温度が上昇を続ける（特に冷蔵温度帯室で顕著）ことなるため、冷却機能として好ましくない状況に陥ってしまう。
【００２６】
そこで、制御装置３５では、上述したようにＲＦ運転を冷凍温度帯室の室内温度によって、冷蔵室ダンパ６を全開状態とすると共に、冷凍室ダンパ１３を全開状態の開度未満の第１の開度とする冷蔵温度帯室冷却優先モードとして設定するＲＦ運転１、並びに冷蔵室ダンパ６を全開状態とすると共に、冷凍室ダンパ１３を全開状態の開度未満で第１の開度よりも開度が大きい第２の開度とする冷凍温度帯室冷却優先モードとして設定するＲＦ運転２に切り分けて運転することで、高負荷状態における冷却性能を向上させる。即ち、冷凍温度帯室の室内温度が予め設定される冷凍温度帯室高温判定閾値より低い冷蔵温度帯室冷却優先モードのＲＦ運転１では、冷凍室ダンパ１３の開度を半開１（全開を９０度とした場合、例えば３０度の開度とする）とし、冷蔵温度帯室に供給する冷気量を増やして冷蔵温度帯室の冷却を優先した運転とする。また、冷凍温度帯室の室内温度が冷凍温度帯室高温判定閾値以上の冷凍温度帯室冷却優先モードのＲＦ運転２では、冷凍室ダンパ１３の開度を半開２（全開を９０度とした場合、例えば半開１より大きい６０度の開度とする）とし、冷凍温度帯室に供給する冷気量を増やして冷凍温度帯室の冷却を優先した運転とする。なお、半開１は第１の開度、半開２は第２の開度と呼ばれても良い。
【００２７】
そこで、図６に示されるように、高負荷状態となった後、制御装置３５では、冷蔵室ダンパ６を全開状態とすると共に、冷凍温度帯室の室内温度が予め定められる冷凍温度帯室高温判定閾値より低い間は冷蔵温度帯室冷却優先モードのＲＦ運転１で冷凍室ダンパ１３を半開１にして運転し、冷凍温度帯室の室内温度が冷凍温度帯室高温判定閾値以上となった時点で冷凍温度帯室冷却優先モードのＲＦ運転２に移行する。ＲＦ運転２では、冷凍室ダンパ１３を半開２にして運転するが、このＲＦ運転２は、冷凍温度帯室の室内温度が予め定められる冷凍温度帯室高温判定解除閾値以下になるまで継続し、冷凍温度帯室高温判定解除閾値以下となった時点で再び冷蔵温度帯室冷却優先モードのＲＦ運転１へと移行し、冷凍室ダンパ１３を半開１にして運転する。
【００２８】
即ち、ここでのモード分けしたＲＦ運転では、通常はＲＦ運転１の冷蔵温度帯室の冷却を優先した運転を行って冷蔵温度帯室の室内の温度上昇を回避（冷蔵室ダンパ６を全開状態、冷凍室ダンパ１３を第１の開度状態とする冷蔵温度帯室冷却優先モードを設定）するが、その一方で冷凍温度帯室の過度の温度上昇を回避するために予め定められた冷凍温度帯室高温判定閾値を設け、冷凍温度帯室の室内温度が冷凍温度帯室高温判定閾値以上となった時点でこれ以上は冷凍温度帯室の室内温度を上げられないと判断し、冷凍温度帯室冷却優先モードのＲＦ運転２の冷凍温度帯室の冷却を優先した運転に移行（冷蔵室ダンパ６を全開状態、冷凍室ダンパ１３を第１の開度よりも大きい第２の開度状態とする冷凍温度帯室冷却優先モードを設定）する。ＲＦ運転２を継続し、予め定められた冷凍温度帯室高温判定解除閾値以下となった時点で、冷凍温度帯室が十分冷えたと判断し、再びＲＦ運転１に移行する。
【００２９】
このように冷蔵温度帯室及び冷凍温度帯室の双方（全室）を同時に冷却する運転の際に、冷蔵温度帯室の冷却を優先した運転と冷凍温度帯室の冷却を優先した運転とを制御モード切り替えを行うことにより、冷蔵温度帯室及び冷凍温度帯室の過度の温度上昇を回避することができ、冷却性能を向上させることができる。
【００３０】
以上に説明したように、本実施例１に係る冷蔵庫８によれば、庫内が高負荷状態の冷蔵温度帯室及び冷凍温度帯室の双方を冷却器４で同時に冷却する場合、制御装置３５により、冷蔵室ダンパ６を全開状態とすると共に、各温度帯室に設けられた温度センサからの温度検出信号に示される冷凍温度帯室の温度が予め設定される冷凍温度帯室高温判定閾値より低いときには、冷凍室ダンパ１３における開度を小とし、冷凍温度帯室の温度が冷凍温度帯室高温判定閾値以上のときには、冷凍室ダンパ１３における開度を大とし、冷凍温度帯室が一旦高温と判定された後、予め設定される冷凍温度帯室高温判定解除閾値以下となったときには、冷凍室ダンパ１３における開度を小として冷気の流れ制御を行う。このため、特許文献１の場合のように冷凍温度帯室が冷凍下限設定温度以下になったときに冷蔵室の温度が相当に上昇してしまうような不具合を発生することがなく、高負荷状態の冷蔵温度帯室及び冷凍温度帯室の双方に対して消費電力を増大させずに冷却性能を維持することができ、従来に無く冷却性能の優れたものとなる。
【符号の説明】
【００３１】
１  圧縮機
４  冷却器
５  庫内ファン
６  冷蔵室ダンパ
７  冷蔵室冷気風路
８  冷蔵庫
９  冷蔵室
９ａ、９ｂ  冷蔵室扉
１０  上段冷凍室
１０ａ  製氷室扉
１０ｂ  上段冷凍室扉
１１  下段冷凍室
１１ａ  下段冷凍室扉
１２  野菜室
１２ａ  野菜室扉
１３  冷凍室ダンパ
１４  冷凍室冷気戻り口
１５  冷凍室冷気風路
１６  冷蔵室冷気戻り口
１７  野菜室戻り風路
１８  除霜ヒータ
１９  庫外受け皿
２０  ドレンパイプ
２１  野菜室冷気戻り口
２２  吐出口
２３  仕切壁
２４  ダクト
２５  庫内受け皿
２６  除霜センサ
２７  信号線
３０  製氷室
３１  断熱箱体
３２、３３  断熱仕切壁
３４  冷却器室
３５  制御装置
【図１】
2015036600.tif 000003
【図２】
2015036600.tif 000004
【図３】
2015036600.tif 000005
【図４】
2015036600.tif 000006
【図５】
2015036600.tif 000007
【図６】
2015036600.tif 000008